(57)【要約】【課題】本発明は使用者の活動状況に応じて、知能的にモーターを処理して、制御回路の接続と切断状態を制御することができて、頻繁にシュレッダーを開閉する必要がなくなって、省エネルギーの環境保護、安全の信頼性をより一層実現する人体自動感応式の省エネルギー型シュレッダーを提供する。【解決手段】本発明の人体自動感応式の省エネルギー型シュレッダーは高圧電源と、低圧電源と、制御回路と、紙投入感応スイッチと、ケースと、該ケースの中に設けられているモーター及び回転刃組とを備え、この中で、前記ケースには赤外線感応装置が設置され、該赤外線感応装置は制御回路と電気接続されている。【選択図】  図３
2006205166.tif 000002
【特許請求の範囲】
【請求項１】
高圧電源と、低圧電源と、制御回路と、紙投入感応スイッチと、ケースと、該ケースに内設されているモーター及び回転刃組とを備え、前記ケースには紙投入口及び屑箱が設けられ、前記モーターは歯車伝動機構を介して前記回転刃組を伝動させて紙を細断させ、前記低圧電源は前記制御回路と電気接続され、前記高圧電源は前記モーターと電気接続され、前記紙投入感応スイッチは前記高圧電源と前記モーターの間に直列接続され、前記制御路は前記紙投入感応スイッチと電気接続されている人体自動感応式の省エネルギー型シュレッダーであって、
前記ケースには赤外線感応装置が設置され、該赤外線感応装置は制御回路と電気接続されている
ことを特徴とする人体自動感応式の省エネルギー型シュレッダー。
【請求項２】
前記モーターと高圧電源の間には人体感応スイッチが直列接続されている
ことを特徴とする請求項１に記載の人体自動感応式の省エネルギー型シュレッダー。
【請求項３】
前記紙投入感応スイッチはリレーである
ことを特徴とする請求項１に記載の人体自動感応式の省エネルギー型シュレッダー。
【請求項４】
前記人体感応スイッチ及び/又は紙投入感応スイッチはリレーである
ことを特徴とする請求項２に記載の人体自動感応式の省エネルギー型シュレッダー。
【請求項５】
前記ケースのいずれかの一側の壁には貫通している窓が設けられており、前記赤外線感応装置は前記窓に設置されている少なくとも一つの赤外線受信装置を有して、該ケースの内壁に設置されている
ことを特徴とする請求項１〜４のいずれかに記載の人体自動感応式の省エネルギー型シュレッダー。
【請求項６】
前記窓は前記ケースの正面に設置されている
ことを特徴とする請求項５に記載の人体自動感応式の省エネルギー型シュレッダー。
【請求項７】
前記ケースはトップカバー及びベースを含み、両者が互いに固着及びねじ込まれて該ベースを形成し、前記窓は該トップカバーの正面に設置されている
ことを特徴とする請求項６に記載の人体自動感応式の省エネルギー型シュレッダー。
【請求項８】
前記窓には透明なスペーサーが設置されている
ことを特徴とする請求項７に記載の人体自動感応式の省エネルギー型シュレッダー。
【請求項９】
前記赤外線感応装置はボックスの中に封止され、該赤外線感応装置の赤外線受信装置は前記窓の中に配置されるように該ボックスから外置されている
ことを特徴とする請求項５に記載の人体自動感応式の省エネルギー型シュレッダー。
【請求項１０】
前記赤外線感応装置はボックスの中に封止され、該赤外線感応装置の赤外線受信装置は前記窓の中に配置されるように該ボックスから外置されており、該ボックスは前記トップカバーの頂部の内壁に鎖固されている
ことを特徴とする請求項７に記載の人体自動感応式の省エネルギー型シュレッダー。
【発明の詳細な説明】
【技術分野】
【０００１】
本発明はシュレッダーに係り、特に、人体感応式の省エネルギーシュレッダーに関するものである。
【背景技術】
【０００２】
従来の一般的なシュレッダーはトップカバーと、芯部と、下部カバー及びベースとを備えるが、前記芯部は下部カバーの上に設置されており、前記トップカバーとベースは互いに鎖固して下部カバーと芯部を内蔵する。また、芯部には細断機構が設けられ、トップカバーには制御板及び紙投入口が設けられている。紙はトップカバーの紙投入口から投入されて、芯部を通過する際に、前記細断機構により細断されて紙屑になり、これらの紙屑は排出口から落下して屑箱に収容される。
【０００３】
現在までよく周知されているシュレッダーは、簡単な電気回路により制御されるが、具体的には、このようなシュレッダーは低圧電源から供電できる制御回路を備え、該制御回路を介して使用者と交互し、更にシュレッダーの給紙状態を検出する。モーターはリレーなどのスイッチ回路を介して高圧電源と外接し、前記制御回路は該リレーと電気接続している。このため、前記制御回路によりシュレッダー上の紙の放置状況を検出して、リレーを誘発してモーターを動作する。
【０００４】
以上の電気回路の原理を分析してみると、前記のような制御回路によりモーターの通電及び断電の作業を制御することができるが、該制御回路本体に対しては知能化の管理が実現できないので、シュレッダーを使用しようとする時は、必ず該シュレッダーにまで接近して、制御回路が動作するように電源スイッチをオープンして、待細断の紙を投入口に入れた後で、モーターを駆動させて細断作業を完成することしかできない。更に、使用後、エネルギーの節約を図るためには前記電源スイッチを再びオフ操作しなければならない。
【０００５】
しかし、作業の負荷が多くて時間が不連続である場合は、以上のように頻繁に電源スイッチを操作すると、該電源スイッチのエージングが発生しやすく、また一方面では使用者に不便をもたらすことになる。また、シュレッダーの制御回路は長期的に通電状態なると、エネルギーの無駄を引き起こすため、シュレッダーの使用において、便利で手っとり早くする問題、及び節電問題に対する解決案を探し出すのが必要になっている。
【０００６】
更に、シュレッダーの使用において、使用者が細断作業の完了を待たなくて離れる場合が多いが、この場合、紙の投入又は投入した紙の数が多すぎると、細断する過程で回転刃が順調に運転できなくなって、紙詰まりが発生する現象があうる。但し、この場合においても、モーターは停止命令を受けなかったから、ずっと運転を続くことになっている。このため、モーターの品質が確保できないと、運転時間の延長に従って温度も上昇することになって、モーターのバーンアウトを引き起こして、更には火災を発生する恐れがあって、無駄な損失をもたらすようになる。
【発明の開示】
【発明が解決しようとする課題】
【０００７】
以上の問題点に鑑みて、節電でき、知能化で自動的に制御回路を接続及び切断することができて、より一層安全な人体自動感応式の省エネルギー型シュレッダーを提供することが必要になる。
【課題を解決するための手段】
【０００８】
次に、本発明に係る実施形態に基づいて、人体自動感応式の省エネルギー型シュレッダーを説明する。本発明の実施形態に係る人体自動感応式の省エネルギー型シュレッダーは高圧電源と、低圧電源と、制御回路と、紙投入感応スイッチと、ケースと、該ケースに内設されているモーター及び回転刃組とを備え、前記ケースには紙投入口及び屑箱が設けられ、前記モーターはギヤ伝動機構を介して前記回転刃組を伝動させて紙を細断し、前記低圧電源は前記制御回路と電気接続され、前記高圧電源は前記モーターと電気接続され、前記紙投入感応スイッチは前記高圧電源と前記モーターの間に直列接続され、前記制御回路は前記紙投入感応スイッチと電気接続されているが、この中で、前記ケースには赤外線感応装置が設置され、該赤外線感応装置は制御回路と電気接続されている。
【発明の効果】
【０００９】
従来の技術と比べ、本発明に係る人体自動感応式の省エネルギー型シュレッダーは使用者の活動状況に応じて、知能的にモーターを処理して、制御回路の接続と切断状態を制御することができて、頻繁にシュレッダーを開閉する必要がなくなって、省エネルギーの環境保護、安全の信頼性をより一層有効に実現する。
【発明を実施するための最良の形態】
【００１０】
以下図面に基づいて、本発明の実施形態に対して詳細に説明する。
【００１１】
図１と図２に示すように、本実施形態に係る人体自動感応式の省エネルギーシュレッダーはトップカバー１と、芯部と、下部カバー２と、ベース（図示せず）とを備え、前記下部カバー２は前記ベースの上部に設置され、該下部カバー２の上には排屑口（図示せず）が設けられ、前記芯部は前記下部カバー２の上に設置され、前記トップカバー１は前記スパイダー（図示せず）と固着或はねじ込まれ合せてシュレッダーの外殻を形成して、該外殻の中に下部カバー２及び芯部を設置して収容する。
【００１２】
前記芯部にはモーター２１と、該モーター２１と並置されて紙細断するのに用いる回転刃組２２とが設置され、該モーター２１と該回転刃組２２の間はギヤ伝動組により伝動することになっている。トップカバー１には紙投入口１２が設置され、紙は該トップカバー１の紙投入口１２から送入され、前記芯部を経る時前記回転刃組２２により細断されて紙屑になって、該紙屑は前記排屑口を介してスパイダーに内置されている屑箱（図示せず）に落ちて収容される。
【００１３】
図３に示すように、前記モーター２１は前記高圧電源５１と電気接続され、該モーター２１及び前記高圧電源５１の間には紙投入感応スイッチＫ１として用いられる第一リレーが設置されており、前記紙投入感応スイッチＫ１は前記制御回路４と電気接続され、該制御回路４は前記低圧電源５２と電気接続されている。
周知の応用から言うと、前記制御回路４はシュレッダーの給紙状態に応じて紙投入感応スイッチＫ１の接続及び切断を制御して、モーター２１のオン又はオフの操作を行う。
【００１４】
この以外、本発明にはさらにフルネルレンズ６１１と赤外線受信センサー６１２から形成された赤外線受信装置６１を有する周知の赤外線感応装置６が設置されている（図６を参照）。
【００１５】
前記赤外線感応装置６は前記制御回路４と電気接続しているが、具体的には、スイッチ回路Ｋ３とする該赤外線感応装置６は、前記制御回路４及び低圧電源５２の間に直列接続されて、これにより、該赤外線感応装置６にて前記制御回路４の接続及び切断の状態を制御することができる。
【００１６】
また、全体の安全性を図るために、前記高圧電源５１と前記紙投入感応スイッチＫ１の間に、即ち第一リレーの間に人体感応スイッチＫ２とする第二リレーを直列接続させるが、該人体感応スイッチＫ２は前記赤外線感応装置６と電気接続されて、これにより、該赤外線感応装置６にて第二リレーの開閉状態を制御することができる。
【００１７】
以下、図３乃至図６に基づいて本発明の作動原理を説明する。
【００１８】
一般的に人体は３７度ぐらいの安定な体温を持っているため、人体から１０μmぐらいの特定波長の赤外線を発射することができる。この点に基づいて、図６における赤外線受信装置６１は人体から発射する１０μmぐらいの赤外線に応じて動作する。
【００１９】
人がシュレッダーに近付く時、人体からの１０μmぐらいの赤外線は、フルネルレンズ６１１によって強化されて、前記赤外線受信センサー６１２に集積される。図４に示すように、本回路は、主チップＢＩＳＳ０００１によって前記赤外線受信センサー６１２の信号を処理し、運算増幅器ＯＰ１を利用して感知信号の前処理回路を形成する。
【００２０】
そして、前記信号に対して第一級の拡大をした後、運算増幅器ＯＰ２にカップリグさせて、再び第二級の拡大を行う。共に、
【００２１】
【数１】
2006205166.tif 000003
【００２２】
になるように直流電位を高めた後、前記信号をコンパレータＣＯＰ１とＣＯＰ２から形成されている二方向振幅弁別器に送って、有効トリガー（Trigger）信号ＶＳを検出する。ここで、
【００２３】
【数２】
2006205166.tif 000004
【００２４】
【数３】
2006205166.tif 000005
【００２５】
になるため、ＶＤＤ=５Ｖである時は±１Ｖのノイズの干渉を有効に制約して、全体の信頼性を向上することができる。
【００２６】
ここで、ＣＯＰ３は条件コンパレータであって、入力電圧ＶＣがＶＲより小さい時は、ＣＯＰ３は低電力を出力してアンドゲート（ＡＮＤ  ｇａｔｅ）Ｕ２をブロックして、トリガー信号ＶＳが下位に伝送することを禁止する。
【００２７】
逆に、入力電圧ＶＣがＶＲより大きい時は、アンドゲートを接続して、トリガー信号ＶＳが上位に向上すると、遅延時間のタイマーを起動するとともにＶＯは高電力を出力して、時間の遅延を始める。この遅延期間において、例えばトリガー信号が無ければ、予定時間に達するとＶ０は低電力に回復される。逆に、例えば前記遅延期間において、トリガー信号が有って再度の誘発が起こす場合は、遅延器は改めて遅延を始めるようになる。
【００２８】
図６は図５に対応する回路の原理図である。その中、Ｊ１には制御回路４が外接され、Ｊ２にはモーター２１と直列接続される人体感応スイッチＫ２即ち前記第二リレーが外接されている。
【００２９】
人がシュレッダーに近付く時、ＶＯは高電力を出力し、従って、シュレッダーの制御回路４を通電するとともに、Ｊ２は前記第二リレーが引き付けられるようにする。この際、シュレッダーに紙がある場合、制御回路４は第一リレーを引き付けて、モーターの作動を制御し、但し、シュレッダーに紙が無い場合は、モーター２１の作動が停止するように前記第一リレーを切断するが、これらの情況において、前記制御回路４はやはり待機状態にある。
【００３０】
また、人が離れる時、シュレッダーは予定の時間どおり３０秒遅延した後自動的に停電される。これにより、人の近付く及び離れる状況に応じて、通電及び停電の状態を制御して、安全性及び節電の効果を図ることができる。
【００３１】
また、図２及び図３に示すように、前記赤外線感応装置６の効率をより一層有効に生かすために、さらには紙屑及びモーターから出す熱流の干渉を受けないようにするために、該赤外線感応装置６をボックス６’の中に装入させるが、前記赤外線受信装置６１が該ボックス６’から突出するようにする。ここで、該ボックス６’は前記トップカバー１内の上壁に鎖固され、且つシュレッダーの正側面に設置されている。
【００３２】
更に、前記トップカバー１の正側面には貫通されている窓１３が設置され、前記赤外線感応装置６の赤外線受信装置６１は該窓１３の中に設置されている。また、前記窓１３から昆虫などが入ってシュレッダーを破損する情況が発生しないように、透明なスペーサーにて前記窓１３を塞ぐことができる。
【００３３】
もちろん、本発明において、前記赤外線感応装置６の設置方位は限りなくて、回路の接続が変わらなく、前記赤外線受信装置６１により人体の活動が検出できれば、本発明の目的を実現することができる。つまり、いかなる形式のシュレッダーはすべて本発明と同じ又は相当な回路を介して同じ効果を達することができる。
【００３４】
この外、前記人体感応スイッチＫ２と紙投入感応スイッチＫ１は、以上の実施形態において説明したどおりリレーを採用するしても良いし、双方向のサイリスタを採用しても良い。
【００３５】
上述したように、本発明によれば事務する室内の人体の活動状況について知能化的に分析して、人が近づく場合は通電し、人が離れる場合は停電することにして、便利及び省エネルギーを図ることができて、人気が上昇する。
【図面の簡単な説明】
【００３６】
【図１】本発明の実施形態に係るシュレッダーのトップカバーの斜視図及び内部の構造図である。
【図２】本発明の実施形態に係るシュレッダーのトップカバーと芯部の斜視図である。
【図３】本発明の実施形態に係るシュレッダーの制御原理の模式図である。
【図４】本発明の実施形態に係る赤外線感応装置の原理ブロック図である。
【図５】本発明の実施形態に係る赤外線感応装置の回路図である。
【図６】本発明の実施形態に係る赤外線感応装置の赤外線受信装置の斜視図である。
【符号の説明】
【００３７】
１      トップカバー
１２    紙投入口
１３    窓
２      下部カバー
２１    モーター
２２    回転刃組
４      制御回路
５１    高圧電源
５２    低圧電源
６      赤外線感応装置
６１    赤外線受信装置
６１１  フルレルレンズ
６１２  赤外線受信センサー
６’    ボックス
【図１】
2006205166.tif 000006
【図２】
2006205166.tif 000007
【図３】
2006205166.tif 000008
【図４】
2006205166.tif 000009
【図５】
2006205166.tif 000010
【図６】
2006205166.tif 000011